(57)【要約】      （修正有）【課題】壁パネルが内方へ倒れるのを防止するフック部材の磨耗や損傷を軽減できると共に、確実に係止でき、しかも、フック部材の交換を容易かつ迅速に行うことが可能なボックスパレットを提供する。【解決手段】矩形状の底パネル１と、左右一対の矩形状の側壁パネル２と、矩形状の前壁パネルと、矩形状の後壁パネルと、を備え、底パネルは、各側壁パネルの前縁及び後縁の少なくとも一方に設けた支柱部２１に対応して配設される上方突片部１５を有し、側壁パネルは、支柱部の下端部２１ｂが底パネルに枢着され、側壁パネルが前後水平状軸心Ｌ２１廻りに揺動して側内方へ傾倒可能、かつ、起立可能に構成されたボックスパレットに於て、上方突片部１５に、水平状軸心Ｌ５廻りに揺動自在なフック部材５が設けられ、支柱部は、フック部材の先端爪部５１が係止可能な掛かり部６を有し、先端爪部が支柱部の掛かり部に係止して、側壁パネルの側内方への倒れを規制する。【選択図】図２
0003210040.tif 000002
【実用新案登録請求の範囲】
【請求項１】
矩形状の底パネル（１）と、左右一対の矩形状の側壁パネル（２）（２）と、矩形状の前壁パネル（３）と、矩形状の後壁パネル（４）と、を備え、
上記底パネル（１）は、上記各側壁パネル（２）の前縁及び後縁の少なくとも一方に設けた支柱部（21）に対応して配設される上方突片部（15）を有し、
上記側壁パネル（２）は、上記支柱部（21）の下端部（21ｂ）が上記底パネル（１）に枢着され、上記側壁パネル（２）が前後水平状軸心（Ｌ21）廻りに揺動して側内方へ傾倒可能、かつ、起立可能に構成されたボックスパレットに於て、
上記上方突片部（15）に、水平状軸心（Ｌ５）廻りに揺動自在なフック部材（５）が設けられ、
上記支柱部（21）は、上記フック部材（５）の先端爪部（51）が係止可能な掛かり部（６）を有し、
上記フック部材（５）の先端爪部（51）が上記支柱部（21）の上記掛かり部（６）に係止して、上記側壁パネル（２）の側内方への倒れを規制するように構成したことを特徴とするボックスパレット。
【請求項２】
上記掛かり部（６）は、上記支柱部（21）の側壁（21ｄ）に貫設した窓部（60）の開口下端縁部（60ｂ）から成る請求項１記載のボックスパレット。
【請求項３】
上記フック部材（５）は、一端側に上記先端爪部（51）を有し、他端側に上記先端爪部（51）を上記掛かり部（６）との離脱位置まで上昇揺動するように使用者の足で踏みつけ自在な係止解除用のフット操作部（52）を有する請求項１又は２記載のボックスパレット。
【考案の詳細な説明】
【技術分野】
【０００１】
本考案は、ボックスパレットに関する。
【背景技術】
【０００２】
従来、上方開口箱型に組み立てられて使用されるボックスパレットは、矩形状の底パネルと、４枚の矩形状の壁パネルと、を備え、各壁パネルが、傾倒・起立可能に底パネルに連結されていた。そして、底パネルの各角部に、起立状態の壁パネルが外方側へ展開するように倒れるのを規制する平面視Ｌ字状の上方突片部を設けていた（例えば、特許文献１及び特許文献２参照）。
さらに、特許文献１では、起立状態の壁パネルが、底パネルの上面へ向かって（内方へ）倒れるのを防止するために、丸棒材を平面視コの字状に折曲げたフック部材を壁パネルの支柱部に設けると共に、底パネルの上方突片部の外面にフック部材の先端部が係止する係止凸部を設けていた。
また、特許文献２では、壁パネルの支柱部内に枢着した板状フック部材を、底パネルの上方突片部の上縁に係止させて、起立状態の壁パネルが内方へ倒れるのを防止していた。
【先行技術文献】
【特許文献】
【０００３】
【特許文献１】登録実用新案第３１５０２５７号公報
【特許文献２】登録実用新案第３２０４８７１号公報
【考案の概要】
【考案が解決しようとする課題】
【０００４】
しかし、フック部材を、壁パネルの支柱部に設けているため、揺動した際に、フック部材が所定の待機姿勢で上方突片部に接触せず、スムーズにガイドされず係止できないといった問題や、衝突するように接触して破損するといった問題があった。
また、丸棒のフック部材を上方突片部の係止凸部に係合させるもの（特許文献１に記載のもの）は、壁パネルを起立状にする際に、フック部材が、上方突片部の上部に設けた傾斜状ガイド面と上端面とに摺接するため、磨耗が早いといった問題があった。また、係止状態では、平面視コの字状のフック部材が平面視Ｌ字状の上方突片部の外面を廻り込むように配設されるため、フック部材の露出部分が多いという問題もあった。
また、壁パネルの支柱部内に設けたフック部材を、上方突片部の上縁に係止させるもの（特許文献２に記載のもの）は、フック部材の先端が露出しているため、別のボックスパレットやフォークリフト等に接触して、少しでも変形すると、適切な係合力が得られなくなり、部品交換が必要になるといった問題があった。そして、フック部材の交換作業は、支柱部の狭い内部に手や工具を入れる必要があり、作業が非常に困難という問題があった。
【０００５】
そこで、本考案は、壁パネルが内方へ倒れるのを防止するフック部材の磨耗や損傷を軽減できると共に、確実に係止でき、しかも、フック部材の交換を容易かつ迅速に行うことが可能なボックスパレットの提供を目的とする。
【課題を解決するための手段】
【０００６】
上記目的を達成するために、本考案のボックスパレットは、矩形状の底パネルと、左右一対の矩形状の側壁パネルと、矩形状の前壁パネルと、矩形状の後壁パネルと、を備え、上記底パネルは、上記各側壁パネルの前縁及び後縁の少なくとも一方に設けた支柱部に対応して配設される上方突片部を有し、上記側壁パネルは、上記支柱部の下端部が上記底パネルに枢着され、上記側壁パネルが前後水平状軸心廻りに揺動して側内方へ傾倒可能、かつ、起立可能に構成されたボックスパレットに於て、上記上方突片部に、水平状軸心廻りに揺動自在なフック部材が設けられ、上記支柱部は、上記フック部材の先端爪部が係止可能な掛かり部を有し、上記フック部材の先端爪部が上記支柱部の上記掛かり部に係止して、上記側壁パネルの側内方への倒れを規制するように構成したものである。
また、上記掛かり部は、上記支柱部の側壁に貫設した窓部の開口下端縁部から成る。
また、上記フック部材は、一端側に上記先端爪部を有し、他端側に上記先端爪部を上記掛かり部との離脱位置まで上昇揺動するように使用者の足で踏みつけ自在な係止解除用のフット操作部を有するものである。
【考案の効果】
【０００７】
本考案によれば、側壁パネルが側内方へ倒れるのを防止するフック部材を適切な姿勢で安定させて待機させることができ、スムーズかつ確実に側壁パネルに係止させることができる。フック部材の磨耗や、別のボックスパレット等の他物体との接触による損傷（故障）を軽減できる。フック部材の部品交換を容易かつ迅速に行うことができる。係止操作及び係止解除操作を容易かつ確実に行うことができる。
【図面の簡単な説明】
【０００８】
【図１】本考案の実施形態を示す斜視図である。
【図２】要部斜視図である。
【図３】作用を説明するための要部断面正面図であって、（ａ）は係止待機状態の要部断面正面図であり、（ｂ）は係止途中状態の要部断面正面図であり、（ｃ）は係止完了状態の要部断面正面図である。
【図４】フック部材の係止解除操作を説明するための要部断面正面図である。
【図５】他の実施形態を示す要部拡大斜視図である。
【考案を実施するための形態】
【０００９】
以下、図示の実施形態に基づき本考案を詳説する。
本考案のボックスパレットは、図１に示すように、上方開口箱型に組み立てられて使用されるものであって、平面視矩形状の底パネル１と、底パネル１に前後水平状軸心Ｌ21廻りに傾倒・起立可能に枢着された左右一対の側壁パネル２，２と、底パネル１に左右水平状軸心廻りに傾倒・起立可能に連結された前壁パネル３と、底パネル１に左右水平状軸心廻りに傾倒・起立可能に連結された後壁パネル４と、を備えている。
【００１０】
底パネル１は、平面視矩形枠型の金属製のベース部10と、ベース部10に固着する水平面状の金属製の底網部11と、ベース部10の４つの各角部に下方突出状に設けられる金属製の脚部12と、ベース部10の４つの各角部に上方突出状に設けられると共に平面視で角部に沿った平面視Ｌ字状の金属製の上方突片部15と、を一体状に有している。
【００１１】
側壁パネル２は、前縁・後縁に夫々配設される金属製の角パイプ状の支柱部21，21と、前後一対の支柱部21，21の間に配設され支柱部21に固着される金属製の側網部22と、側網部22の上縁部を補強する金属製の板状の側梁状部20を一体状に有している。また、図示省略したが、各支柱部21の上部に、クレーンやフォークリフト等の吊り上げ機に係止可能な金属製の吊り輪部材を付設している。
【００１２】
支柱部21の下端部21ｂは、上方突片部15の内面側と、ベース部10の角部近傍かつ左右側枠部に突設されている金属製の軸支持部14と、の間に配設され、軸支持部14と上方突片部15とに支持された金属製の枢支軸が前後方向に挿通して、底パネル１に枢着されている。
【００１３】
ここで、図示省略するが、上方開口箱型に組み立てられる前は、前壁・後壁パネル３，４は、相互に上下方向に重なるように底パネル１の上面に倒れた倒伏（傾倒）姿勢であり、その前壁・後壁パネル３，４上に、左右一方の側壁パネル２と左右他方の側壁パネル２とが、相互に上下方向に積み重なるように倒れて倒伏姿勢となった折畳積層状態である。
【００１４】
そして、上方開口箱型に組み立てる際に、先ず、左右一方の側壁パネル２を起こして鉛直面状の起立姿勢にし、左右他方の側壁パネル２を起こして起立状姿勢にし、その後、前壁パネル３及び後壁パネル４の一方を起こして起立姿勢にし、前壁パネル３及び後壁パネル４の他方を起こして起立姿勢にする。
【００１５】
この組み立ての際、起立（状）姿勢に起こした側壁パネル２，２の支柱部21が、底パネル１の上方突片部15の側片部15ｄの内面に当接することで、側外方へ倒れない（展開しない）ように構成している。
【００１６】
さらに、図１乃至図４に示すように、底パネル１の前角部の上方突片部15（15Ａ）に、前後方向に沿った水平状軸心Ｌ５廻りに揺動自在なフック部材５を設け、かつ、前縁の支柱部21（21Ａ）にフック部材５の先端爪部51が係止可能な掛かり部６を設けている。
なお、図２は、上述した折畳積層状態を図示しているが、側壁パネル２を見やすくするために、前壁・後壁パネル３，４と、左右他方の側壁パネル２と、底網部11と、脚部12とを、図示省略している。また、図３と図４に於て、前壁パネル３を図示省略している。
【００１７】
フック部材５は、金属製の一枚板状であって、上方突片部15（15Ａ）の側片部15ｄを左右方向に貫通する窓型の孔部70に挿通されている。
フック部材５は、フック部材５を前後方向に挿通する軸部材71と、軸部材71の両端部を支持すると共に側片部15ｄから左右外方に突出する前後一対の金属製の枢支片部72，72と、によって上方突片部15に枢着されている。
【００１８】
フック部材５は、一端側（左右内方側）に先端爪部51を有し、他端側（左右外方側）に係止解除用のフット操作部52を有している。
先端爪部51は、図２及び図３（ａ）のフック部材５の待機姿勢で、鉛直面状となる係止面51ｅと、係止面51ｅの下端縁から左右内方へ向かって上傾状に形成されたガイド面51ｆと、を有している。
フット操作部52は、山型突片状に形成され、待機姿勢において、枢支片部72の上端面よりも上方へ突出させて、足での操作を容易としている。
【００１９】
掛かり部６は、支柱部21の左右外方側の側壁21ｄに貫設した窓部60の開口下端縁部60ｂである。窓部60は、フック部材５の先端爪部51が、支柱部21の内部空間に抜き差し可能（侵入・脱出可能）に形成している。
【００２０】
次に、本考案のボックスパレットの使用方法（作用）について説明する。
図２及び図３（ａ）に示すように、側壁パネル２が、底パネル１の上面側へ倒れた倒伏姿勢（状態）において、フック部材５は、自重により、孔部70の開口下端縁部に当接して、長手方向が水平状（係止面51ｅが鉛直面状）となった所定の待機姿勢に保持される。
先端爪部51は、待機姿勢において、上方突片部15で形成される隅空間部（側外方から見て側片部15ｄに隠され、かつ、前方から見て前片部に隠された空間）によって、別のボックスパレット等の他物体からの衝突に対して保護されている。
【００２１】
そして、図３（ｂ）に示すように、使用者（作業者）が側壁パネル２を鉛直面状の起立姿勢に起こそうとすると、フック部材５のガイド面51ｆに、開口下端縁部60ｂ（掛かり部６）が接近して当接し、さらに、側壁パネル２が鉛直面状に近づくにつれて、ガイド面51ｆが開口下端縁部60ｂに摺接し、先端爪部51を上方へ揺動させて、先端爪部51（係止面51ｅ）が開口下端縁部60ｂを乗り越えて支柱部21の内部空間に侵入する。フック部材５を固定側である上方突片部15に設けているので、待機姿勢が確実に保持され（安定し）、スムーズにガイドされて支柱部21内に侵入できる。
【００２２】
図３（ｃ）に示すように、側壁パネル２が鉛直面状の起立姿勢になると、先端爪部51が支柱部21内に侵入し、フック部材５は、自重により待機姿勢と同様の所定の係止完了姿勢となり、係止面51ｅが開口下端縁部60ｂよりも左右内方へ配設されると共に、係止面51ｅが開口下端縁部60ｂと対面状に配設された係止完了状態となる。
使用者が側壁パネル２から手を離した際に、側壁パネル２が側内方（左右内方）へ倒れようとしても、開口下端縁部60ｂが係止面51ｅに当接して、倒れが阻止される。
この係止完了状態において、先端爪部51は、支柱部21の内部に配設され、保護される。また、側壁パネル２は、上方突片部15の側片部15ｄによって、側外方へ倒れる（左右外方側へ展開する）のが阻止される。
【００２３】
上述のように、左右一方側の側壁パネル２を起立姿勢にした後、左右他方側の側壁パネル２も同様に起立姿勢にすると、左右他方側の上方突片部15とフック部材５と掛かり部６とによって起立姿勢が保持された状態となる。
【００２４】
左右の側壁パネル２，２を起立姿勢にした後、前壁パネル３及び後壁パネル４を起立姿勢にして、側壁パネル２に係止させて、起立姿勢を保持させ、全体を上方開口箱型の使用状態にする。なお、前壁パネル３と後壁パネル４を起立姿勢にする順番は自由である。
【００２５】
ここで、フット操作部52は、上方突片部15の側片部15ｄの外面側に配設されているので、側壁パネル２を起立姿勢にした後に、前壁パネル３を起立姿勢に起こす際に、使用者の邪魔にならず、使用者の足との接触を防止できる。
【００２６】
そして、上方開口箱型の使用状態から、上述した折畳積層状態（収納状態）にする際は、左右の側壁パネル２，２と、前壁・後壁パネル３，４と、の係止を解除して、前壁・後壁パネル３，４を、底パネル１の上面に重なるように倒した倒伏姿勢にする。
その後、側壁パネル２を、側内方へ倒すために、図４に示すように、フック部材５のフット操作部52を足で踏みつけて先端爪部51を開口下端縁部60ｂとの離脱位置まで上昇揺動させる。側壁パネル２が側内方へ傾倒しても先端爪部51にて阻止されず、傾倒が可能となり、底パネル１の上面側へ倒された倒伏（横倒れ）姿勢にできる。
【００２７】
ここで、フット操作部52は、上方突片部15の側片部15ｄの外面側に配設されているので、側壁パネル２を左右内方側へ倒す際に、使用者が側壁パネル２と対面状に立って側壁パネル２を把持していても、足で、係止解除操作を安全かつ容易に行うことができる。
また、フック部材５の枢着部（軸部材71と枢支片部72，72）は、上方突片部15の側外方側に配設されるので、フック部材５の交換作業（軸部材71の着脱作業）を容易かつ迅速に行うことができる。
【００２８】
また、図１乃至図４の実施形態は、フック部材５を、上方突片部15の上下中間部に配設し、上方突片部15の上下中間部に貫設した窓型の孔部70を挿通させているが、図５に示す他の実施形態のように、フック部材５を、上方突片部15の上端部に設け、孔部70を、上方突片部15の上端縁から下方へ切り欠いた切欠型とするも良い。孔部70の形成が容易になると共に、フック部材５の交換作業をより容易に行うことが可能となる。他の構成及び作用効果は、上述の実施形態と同様である。
【００２９】
なお、本考案は設計変更可能であって、後角部の上方突片部15（15Ｂ）の側片部15ｄにフック部材５を設け、後縁の支柱部21（21Ｂ）の側壁21ｄに窓部60を設けても良い。掛かり部６は、窓部60の開口下端縁部60ｂに限らず、凹部（窪部）や突片や軸部で構成するも良い。底パネル１や各壁パネル２，３，４は、図示の網（柵）型に限らず、鋼板等の板型であっても良い。
【００３０】
なお、前壁パネル３は、図１に示すように、ベース部10に前後揺動自在に金具等により連結された金属製の前下網部（前下ゲート部）31と、前下網部31の上縁部に金属製のコイル状線材等により前後揺動自在に連結される金属製の前上網部（前上ゲート部）32と、前上網部32の上縁部に固着して補強する金属製の板状の前梁状部30と、前下網部31に設けられ前下網部31の揺動を阻止するためのストッパシャフト付き前下ハンドル33，33と、前上網部32に設けられ前上網部32の揺動を阻止するためのストッパシャフト付き前上ハンドル34，34と、を備えている。
前下・前上ハンドル33，34を左右外方へ移動させて、ストッパシャフトの先端を、側壁パネル２の前縁の支柱部21（21Ａ）に設けたストッパ用孔部に差し込むことで係止状態となり、揺動（開放）を阻止している。前下・前上ハンドル33，34を左右内方へ移動させて、ストッパシャフトの先端を、ストッパ用孔部から抜くことで、係止解除状態となり、揺動可能としている。
前壁パネル３は、上述のような分割ゲート構造を有するものに限らず、１枚の前網部と前梁状部30とで構成されるものであっても良い。また、前梁状部30を省略するも良い。或いは、前壁パネル３は、側壁パネル２の前縁に鉛直状軸心廻りに揺動自在に連結されたもの（横開き扉式）であっても良い。
【００３１】
後壁パネル４は、図１に示すように、ベース部10に前後揺動自在に金具等により連結された金属製の後下網部（後下ゲート部）41と、後下網部41の上縁部に金属製のコイル状線材等により前後揺動自在に連結される金属製の後上網部（後上ゲート部）42と、後上網部42の上縁部に固着して補強する金属製の板状の後梁状部40と、後下網部41に設けられ後下網部41の揺動を阻止するためのストッパシャフト付き後下ハンドル（図示省略）と、後上網部42に設けられ後上網部42の揺動を阻止するためのストッパシャフト付き後上ハンドル（図示省略）と、を備えている。
後下・後上ハンドルを左右外方へ移動させて、ストッパシャフトの先端を、側壁パネル２の後縁の支柱部21（21Ｂ）に設けたストッパ用孔部に差し込むことで、係止状態となり、揺動（開放）を阻止している。後下・後上ハンドルを左右内方へ移動させて、ストッパシャフトの先端を、ストッパ用孔部から抜くことで、係止解除状態となり、揺動可能としている。
後壁パネル４は、上述のような分割ゲート構造を有するものに限らず、１枚の後網部と後梁状部40とで構成されるものであっても良い。また、後梁状部40を省略するも良い。或いは、後壁パネル４は、側壁パネル２の後縁に鉛直状軸心廻りに揺動自在に連結されたもの（横開き扉式）であっても良い。
【００３２】
以上のように、本考案のボックスパレットは、矩形状の底パネル１と、左右一対の矩形状の側壁パネル２，２と、矩形状の前壁パネル３と、矩形状の後壁パネル４と、を備え、上記底パネル１は、上記各側壁パネル２の前縁及び後縁の少なくとも一方に設けた支柱部21に対応して配設される上方突片部15を有し、上記側壁パネル２は、上記支柱部21の下端部21ｂが上記底パネル１に枢着され、上記側壁パネル２が前後水平状軸心Ｌ21廻りに揺動して側内方へ傾倒可能、かつ、起立可能に構成されたボックスパレットに於て、上記上方突片部15に、水平状軸心Ｌ５廻りに揺動自在なフック部材５が設けられ、上記支柱部21は、上記フック部材５の先端爪部51が係止可能な掛かり部６を有し、上記フック部材５の先端爪部51が上記支柱部21の上記掛かり部６に係止して、上記側壁パネル２の側内方への倒れを規制するように構成したので、側壁パネル２が側内方へ倒れるのを防止するフック部材５を適切な姿勢で待機させることができ、スムーズかつ確実に側壁パネル２に係止させることができる。フック部材５の磨耗や、接触による損傷を軽減できる。フック部材５の部品交換を容易かつ迅速に行うことができる。係止操作及び係止解除操作を容易かつ確実に行うことができる。
【００３３】
また、上記掛かり部６は、上記支柱部21の側壁21ｄに貫設した窓部60の開口下端縁部60ｂから成るので、構造を簡素化でき、故障を軽減できる。先端爪部51を支柱部21の内部に侵入させて保護できる。
【００３４】
また、上記フック部材５は、一端側に上記先端爪部51を有し、他端側に上記先端爪部51を上記掛かり部６との離脱位置まで上昇揺動するように使用者の足で踏みつけ自在な係止解除用のフット操作部52を有するので、使用者が手で側壁パネル２を把持した状態で、容易かつ迅速に係止解除操作を行うことができる。
【符号の説明】
【００３５】
１  底パネル
２  側壁パネル
３  前壁パネル
４  後壁パネル
５  フック部材
６  掛かり部
15  上方突片部
21  支柱部
21ｂ  下端部
21ｄ  側壁
51  先端爪部
52  フット操作部
60  窓部
60ｂ  開口下端縁部
【図１】
0003210040.tif 000003
【図２】
0003210040.tif 000004
【図３】
0003210040.tif 000005
【図４】
0003210040.tif 000006
【図５】
0003210040.tif 000007